(57)【要約】【課題】対象の機器を容易に特定する設備管理システム、設備管理方法を提供する。【解決手段】設備内に設けられる機器に関する情報である機器情報を、当該機器の設置から設備完成に至るまでの各段階について記憶する機器情報記憶部と、検索対象を表す検索情報を入力する入力部と、前記機器情報記憶部を参照し前記入力された検索情報に対応する機器情報を検索する検索部と、施工段階を指定する指定部と、前記検索部によって得られた機器情報のうち、前記指定部から指定された施工段階に対応する機器情報を出力する出力部と、を有することを特徴とする。【選択図】図１
2014085752.tif 000002
【特許請求の範囲】
【請求項１】
設備内に設けられる機器に関する情報である機器情報を、当該機器の設置から設備完成に至るまでの各段階について記憶する機器情報記憶部と、
検索対象を表す検索情報を入力する入力部と、
前記機器情報記憶部を参照し前記入力された検索情報に対応する機器情報を検索する検索部と、
施工段階を指定する指定部と、
前記検索部によって得られた機器情報のうち、前記指定部から指定された施工段階に対応する機器情報を出力する出力部と、
を有することを特徴とする設備管理システム。
【請求項２】
前記各段階の機器情報には、機器情報の施工段階における情報がその段階に対応づけて記憶されることを特徴とする請求項１記載の設備管理システム。
【請求項３】
前記出力部は、前記機器情報のうち完成時点に最も近い施工段階から施工開始の段階に遡る順序に従って機器情報を表示することを特徴とする請求項１または請求項２記載の設備管理システム。
【請求項４】
コンピュータに設備に関する情報を管理させる設備管理方法であって、
入力部が、検索対象を表す検索情報を入力し、
検索部が、設備内に設けられる機器に関する情報である機器情報を当該機器の設置から設備完成に至るまでの各段階について記憶する機器情報記憶部を参照し前記入力された検索情報に対応する機器情報を検索し、
出力部が、検索部によって得られた機器情報のうち、外部から指定された施工段階に対応する機器情報を出力する
ことを特徴とする設備管理方法。
【発明の詳細な説明】
【技術分野】
【０００１】
本発明は、設備内に設けられた機器に関する情報を管理する設備管理システム、設備管理方法処理に関する。
【背景技術】
【０００２】
建築物に設置される受変電設備、熱源設備、動力制御設備、照明や空調設備等の管理業務用システムは、これまで設備機器側に設置されるローカル盤と施設管理者側に設置される中央監視制御装置、その間を情報伝送する電送制御装置で構成されることが多い。このため、各設備機器のオンオフ状態、計測値、警報情報等、コンピュータ処理し易いように全てコード化されたテーブル上のデータベースを構築し、ハードウェアとソフトウェアを結びつけている。
特許文献１には、管理対象である設備に関する情報を検索する設備管理システムに開示されている。この設備管理システムによれば、複数の設備を対象として多彩な角度から検索することで設備に関する情報を得ることができる。
【先行技術文献】
【特許文献】
【０００３】
【特許文献１】特開２０１０−２１１６２１号公報
【発明の概要】
【発明が解決しようとする課題】
【０００４】
しかしながら、データベースを構築し、ハードウェアとソフトウェアを結びつける作業は、管理対象全てに対して行わなければならず、新設時のデータ作成、完成時に対向試験等に膨大な作業時間を要しているだけでなく、後々の機器追加、改修、更新作業時にも複雑で高度な技術を要する。さらに施設運用管理のための日常巡回監視、異常発生時の緊急駆け付け対応に、これらのコード化された機器名称情報は、物理的なロケーション情報と必ずしも一致せず、発生頻度の低い事象への対応等、混乱を招くことも場合もある。特に大規模化した建物や複数棟から構成される施設では、ブロック図で示したり、色分けしたり運用上の工夫で対処してきているが、習熟するまでに多くの時間と技量を要している。
また、上述した特許文献１に記載された技術では、設備の情報を検索することができるが、検索して得られた情報を基にして、実際に設置されている機器を現場で特定することは難しい。
【０００５】
本発明は、このような事情に鑑みてなされたもので、その目的は、対象の機器を容易に特定する設備管理システム、設備管理方法を提供することにある。
【課題を解決するための手段】
【０００６】
上述した課題を解決するために、本発明は、設備内に設けられる機器に関する情報である機器情報を、当該機器の設置から設備完成に至るまでの各段階について記憶する機器情報記憶部と、検索対象を表す検索情報を入力する入力部と、前記機器情報記憶部を参照し前記入力された検索情報に対応する機器情報を検索する検索部と、施工段階を指定する指定部と、前記検索部によって得られた機器情報のうち、前記指定部から指定された施工段階に対応する機器情報を出力する出力部と、を有することを特徴とする。
【０００７】
また、本発明は、上述の設備管理システムにおいて、前記各段階の機器情報には、機器情報の施工段階における情報がその段階に対応づけて記憶されることを特徴とする。
【０００８】
また、本発明は、上述の設備管理システムにおいて、前記出力部は、前記機器情報のうち完成時点に最も近い施工段階から施工開始の段階に遡る順序に従って機器情報を表示することを特徴とする。
【０００９】
また、本発明は、コンピュータに設備に関する情報を管理させる設備管理方法であって、入力部が、検索対象を表す検索情報を入力し、検索部が、設備内に設けられる機器に関する情報である機器情報を当該機器の設置から設備完成に至るまでの各段階について記憶する機器情報記憶部を参照し前記入力された検索情報に対応する機器情報を検索し、出力部が、検索部によって得られた機器情報のうち、外部から指定された施工段階に対応する機器情報を出力することを特徴とする。
【発明の効果】
【００１０】
以上説明したように、この発明によれば、機器に関する情報について、施工途中における情報を手がかりとして対象の機器を探すことができるので、対象機器を容易に見つけることができる。
【図面の簡単な説明】
【００１１】
【図１】この発明の一実施形態による設備管理システム１の構成を示す図である。
【図２】設備管理装置１０と携帯情報端末５０の機能構成を表す概略ブロック図である。
【図３】記憶装置１５に記憶される機器情報の一例を表す図である。
【図４】設備管理システム１における機器情報を登録する動作を説明するシーケンス図である。
【図５】設備管理システム１における機器情報を参照する動作を説明するシーケンス図である。
【図６】機器情報の登録と参照について説明する図である。
【発明を実施するための形態】
【００１２】
以下、本発明の一実施形態による設備管理システムについて図面を参照して説明する。
図１は、この発明の一実施形態による設備管理システム１の構成を示す図である。
設備管理システム１は、設備管理装置１０、通信接続装置２０、リモートステーション３０、ネットワーク４０、携帯情報端末５０、構内位置情報送出装置６０等によって構成され、管理対象の設備内の各種情報を管理する。設備には、例えば、建築物内に空調システムや照明装置やコンピュータ等の機器が設けられており、これら機器を制御する制御盤や電源を供給する電源供給源、各種センサ等が設けられる。
【００１３】
設備管理装置１０は、通信インターフェース部１１、ＣＰＵ（中央処理装置）１２、不揮発性メモリ１３、ＲＡＭ（ランダムアクセスメモリ）１４、記憶装置１５等を有する。通信インターフェース部１１は、ネットワーク４０を介して通信接続装置２０とリモートステーション３０と通信を行う機能を有するとともに、携帯情報端末５０と無線によって接続して通信を行う機能を有する。
【００１４】
ＣＰＵ１２は、設備管理装置１０内の各部を制御する。不揮発性メモリ１３、ＲＡＭ１４は、ＣＰＵ１２が処理を実行する際に必要となる各種データやプログラム等を記憶する。
記憶装置１５は、機器情報等の各種情報を記憶する。通信接続装置２０は、設備内の複数の箇所に設けられ、例えば、各フロアの通信エリアを網羅することができるように配置される。この通信接続装置２０は、携帯情報端末５０と通信を行うことで、携帯情報端末５０と設備管理装置１０との間で各種データの送受信を行うこともできる。
【００１５】
リモートステーション３０は、設備内に設けられた各種センサや制御対象となる機器（バルブ、調節装置）等に接続されており、設備管理装置１０からの指示に応じて、センサ等から測定値を取得して設備管理装置１０に送信したり、設備管理装置１０からの指示に応じてバルブや調節装置に対して制御命令を送信する。
【００１６】
携帯情報端末５０は、通信接続装置２０やインターネットを介して設備管理装置１０と通信を行う機能を有するとともに、構内位置情報送出装置６０やＧＰＳ衛星７０から得られる信号を基に現在位置を検出する機能を有する。
構内位置情報送出装置６０は、設備内の各所に設けられ、その設けられた位置を表す信号を所定の間隔で送信する。
【００１７】
図２は、設備管理装置１０と携帯情報端末５０の機能構成を表す概略ブロック図である。
設備管理装置１０において、通信部１０１は、通信接続装置２０、リモートステーション３０、携帯情報端末５０と通信を行う。制御部１０２は、設備管理装置１０内の各部を制御する。検索部１０３は、機器情報記憶部１０４を参照し携帯情報端末５０から送信され入力された検索情報に対応する機器情報を検索する。機器情報記憶部１０４は、機器情報を記憶する。
【００１８】
携帯情報端末５０において、通信部５０１は、構内位置情報送出装置６０やＧＰＳ衛星７０から送信される信号を受信する機能、インターネット等を介して設備管理装置１０と通信する機能、通信接続装置２０とネットワーク４０を介して設備管理装置１０と通信する機能とを有する。入力部５０２は、検索対象を表す検索情報を入力する。例えば、この入力部５０２は、タッチパネルやキーボード等であり、ユーザの操作に応じて、検索対象となる機器を指定する情報等を入力する。また、入力部５０２は、機器の施工段階を指定する情報を入力する指定部としての機能も有する。
【００１９】
表示部５０３は、設備管理装置１０の検索部１０３によって得られた機器情報のうち、入力部５０２から指定された施工段階に対応する機器情報を表示する。この表示部５０３は、例えば、液晶表示装置等である。制御部５０４は、携帯情報端末５０内の各部を制御する。カメラ５０５は、携帯情報端末５０の周囲を撮像する。マイク５０６は、入力される音声から音声情報を生成するマイクロフォンである。この携帯情報端末５０は、設備管理装置１０に対し、複数台接続することもできる。
【００２０】
図３は、記憶装置１５（機器情報記憶部１０４）に記憶される機器情報の一例を表す図である。
機器情報は、設備内に設けられる機器に関する情報であり、当該機器の設置から設備完成に至るまでの各段階についての情報が含まれる。具体的に、機器情報は、機器ＩＤと施工段階ＩＤと、機器名称と、位置情報と、外観写真と、関連情報とが対応づけられた情報である。
【００２１】
機器ＩＤは、設備内に設けられる機器を識別する情報である。
施工段階ＩＤは、設備の施工開始時点から完成までの経過を表す施工の段階をそれぞれ識別する情報である。ここでは、施工段階ＩＤは、設備の施工を開始した段階、機器を設置するための基礎を施工した段階、機器を設置するラックを設置した段階、機器をラックに設置した段階、ラックに扉を設置した段階、ラックに対して化粧パネルを設置した段階（完成）等の種々の段階があり、これらいずれの段階であるかを識別することができる。
また、この施工段階ＩＤを例えば、施工開始時点から建物完成までについて昇順となるように割り当てることで、機器の施工段階について、施工開始の段階から完成時点までの時系列を把握可能である。
【００２２】
機器名称は、各施工段階における機器の名称を表す。この機器名称は、施工段階が進むにつれて変更される場合がある。そのため、各施工段階における名称が施工段階ＩＤに対応づけられることによって、その施工段階においてどのような名称であったかを設備が完成した後であっても把握可能である。
位置情報は、機器が設置された場所を表す情報である。
外観写真は、その施工段階において撮像された画像データである。
関連情報は、その施工段階に応じた機器に関する情報である。例えば、機器を設置する段階において工事担当者が留意したことを表す情報や、他の工事担当者やメンテナンス担当者へ伝えたい事項を表す情報を用いることができる。
【００２３】
次に、上述した設備管理システムの動作を説明する。
図４は、設備管理システム１における機器情報を登録する動作を説明するシーケンス図である。
設備の施工が開始されると、作業員は、施工計画に従って設備内の施工を行う。このとき、作業員は、施工計画のうち施工途中のある段階において、機器に関する情報を登録する場合、機器を設置する位置に移動し、機器情報の登録を行う旨の指示を携帯情報端末５０に入力する。携帯情報端末５０は、作業員からの指示に従い、機器情報の登録処理を開始する。ここでは、携帯情報端末５０の制御部５０４は、カメラモードを起動し、そして、作業員によって撮像ボタンを押されると、その位置において機器が設置された状態（あるいは設置前の状態）をカメラ５０５によって撮像し（ステップＳ１１）、画像データを生成する。次いで制御部５０４は、携帯情報端末５０の現在位置をＧＰＳ衛星７０から受信した信号に従って測定し（ステップＳ１２）、位置情報を生成する。そして、制御部５０４は、作業員からの指示に従い、関連情報を生成する（ステップＳ１３）。この関連情報の生成は、例えば、入力部５０２から入力されるテキスト情報や、マイク５０６から入力される音声情報や、撮像を行った時刻を表す撮像時刻情報を生成することによって行う。このステップＳ１３は、関連情報の生成を行う必要が無い場合、スキップすることもできる。次に制御部５０４は、施工段階ＩＤを付与する（ステップＳ１４）。ここでは、設備管理装置１０に問い合わせることにより、施工計画における現時点の施工段階を表す施工段階ＩＤを割り当ててもらい、これを受信することによって、機器情報に付与する。次に制御部５０４は、画像データと、位置情報と、関連情報と、施工段階ＩＤとを対応づけた機器情報を生成し、設備管理装置１０へ通信部５０１によって送信する（ステップＳ１５）。
【００２４】
設備管理装置１０は、携帯情報端末５０から機器情報を受信すると（ステップＳ１６）、受信した機器情報を機器情報記憶部１０４に記憶する（ステップＳ１７）。
【００２５】
このようにして、機器情報が記憶されることで登録処理が行われる。この機器情報の登録は、施工段階が進む毎に行うようにしてもよいし、施工途中におけるいずれか任意の段階、すなわち、施工途中における別の作業員や完成後におけるメンテナンス担当者、点検者等の登録者とは異なる人へ伝える必要がある情報が生じた段階において登録することもできる。また、この機器情報の登録処理は、設備内の各機器について、種々の段階において登録することができる。
【００２６】
次に、機器情報を参照する場合について説明する。図５は、設備管理システム１における機器情報を参照する動作を説明するシーケンス図である。
設備が完成した後、設備内の各機器が稼働を開始すると、設備管理装置１０の制御部１０２は、リモートステーション３０から送信される各種センサの検出結果が正常値の範囲内であるか否かの判定や、監視対象の機器から異常を表すエラー情報が送信されたか否かを監視することで、設備内に異常が発生したか否かを検出する（ステップＳ２１）。
【００２７】
設備内での異常が検知されると、制御部１０２は、異常の原因となる機器の候補を抽出する（ステップＳ２２）。例えば、制御部１０２は、記憶装置１５に設けられた、センサと当該センサが異常値を表している場合に点検対象となる機器の候補を対応づけたデータベース（管理対象リスト）を参照し、センサから得られた値が正常値の範囲外である場合に点検対象となる機器を抽出する。また、制御部１０２は、機器からエラー情報を受信した場合には、送信元の機器を点検対象として抽出する。
そして制御部１０２は、抽出した機器に対応する機器情報を機器情報記憶部１０４から読み出し（ステップＳ２３）、読み出した機器情報を携帯情報端末５０に送信する（ステップＳ２４）。
【００２８】
携帯情報端末５０の制御部５０４は、通信部５０１を介し設備管理装置１０から機器情報を受信すると（ステップＳ２５）、受信した機器情報を表示部５０３に表示する（ステップＳ２６）。そして、機器情報を表示している際に作業員から施工段階を指定する指示が入力部５０２を介して入力されると（ステップＳ２７）、制御部５０４は、指定された施工段階に対応する機器情報を表示する（ステップＳ２８）。施工段階の指定が無ければ、表示内容を維持する。
【００２９】
なお、上述した実施形態において、機器情報の参照は、設備管理装置１０が異常を検知した場合以外においても行うことができる。例えば、携帯情報端末５０の入力部５０２から検索情報を入力することで、検索情報に対応する機器情報が設備管理装置１０において検索され、携帯情報端末５０において取得することで参照することができる。また、機器情報の参照は、設備完成後である場合について説明したが、完成前に参照することもできる。
【００３０】
図６は、機器情報の登録と参照について説明する図である。
設備内において、機器の設置や外部配管、配線を行う段階において、機器情報の登録処理が行われると、その時点（設置段階）における画像データ（符号Ａ）が機器情報として施工段階ＩＤとともに登録される。ここでは、例えば、機器がシャフト内に隠蔽された状態で設置された外観の画像データが登録される。この図では、扉内に機器を収容するラックが設置され、そのラックに機器が収容され扉が閉じた状態の画像データが登録された場合について図示されている。
【００３１】
そして、次の施工段階として、ラックに収容された機器間や他の機器との接続を行う段階（結線段階）に移行する。例えば、この結線作業が終了した時点で、機器の結線状態を撮像し、画像データを含む機器情報を登録する。この図においては、符号Ｂに示すように、機器のどの接続端子にコネクタが挿入されているかについて、画像データを参照することで把握することができる。
さらに次の施工段階として、試験調整段階に移行する。ここでは、この機器の結線が終了した後、他の関連する機器の設置や結線等の各施工段階を経て（ある程度の期間が経過した後）、設備内の試運転や各機器の動作確認、設定調整等が行われる。この試験調整段階では、試験調整を行っている時点の扉を空けた状態における機器の外観が把握できる状態を撮像した画像データ（符号Ｃ）を含む機器情報が登録される。
また、さらに次の施工段階として、機器が扉内に収容された扉面に対し、さらに仕上げ用壁の設置を行う建物完成段階に移行する。ここでは、仕上げ用壁が設置されると、この設置された仕上げ用壁の外観を撮像した画像データ（符号Ｄ）を含む機器情報が登録される。
【００３２】
このように、設置段階、結線段階、試験調整段階、建物完成段階のように、施工開始から施工完了までの各段階における機器情報を施工段階ＩＤに対応づけて順に記憶されることで、工事中の進捗に沿って機器情報が作成され登録される（符号Ｅ）。
【００３３】
ここで、設備情報を登録する際、携帯情報端末５０の表示画面には、符号Ｆに示すように、撮像された画像が表示され、音声入力用ボタンやテキストを入力する入力用ボタンが表示される。これらの入力用ボタンを操作することで、その施工段階における音声やテキストを登録することができる。例えば、結線段階において、「右側赤端子は、短絡注意せよ」というテキスト情報と音声情報と撮像された時刻とを関連情報とし画像データと施工段階ＩＤに対応づけられ機器情報として登録することができる。また、ここでは、どの機器に対する関連情報であるかを特定する方法としては、例えば、機器の管理対象リストを携帯情報端末５０に表示させ、この管理対象リストのうち、該当ポイント候補を選択入力することで、対象の機器を指定することができる。
【００３４】
次に、機器情報を参照する場合について説明する。例えば、設備内のある箇所においてセンサの検出結果を基に温度異常が検出された場合、携帯情報端末５０は、設備管理装置１０から送信される警告メッセージを出力するとともに、警告メッセージと紐付けされた管理対象リストを参照することで該当ポイント候補を表す階数、場所を表示する。さらに携帯情報端末５０は、メンテナンス対象となる機器を管理対象リストを参照することで抽出された機器情報を設備管理装置１０から受信する。そして作業員は、携帯情報端末５０を携帯し、表示された階数、場所を基に、目的となるシャフトがある扉前に移動する。携帯情報端末５０は、作業員の移動後、抽出された機器情報を、建物完成段階から設置段階の順になるようにソートし、建物完成段階に最も近い機器情報を出力する。例えば、携帯情報端末５０は、建物完成段階の画像データを表示するとともに、建物完成段階における関連情報があれば、関連情報に含まれるテキスト情報や音声情報を出力する。ここでは、メンテナンス対象機器がどのあたりに収容されているかを、画像に表示された仕上がり壁の外観を手がかりにすることで、実際の設備の仕上がり壁のどのあたりに機器が収容されているかを容易に特定することができる。そして、機器の収容位置が特定された後、施工段階を１つ遡る指示が作業員によって入力される毎に、携帯情報端末５０は、試験調整段階や、結線段階、設置段階等の建物完成段階よりも前の段階における機器情報を出力する（符号Ｇ）。これにより、作業員は、仕上がり壁の開口部のパネル開き、機器が収容された扉がどれであるかを特定して扉を開け、試験調整段階における機器に対する関連情報（テキスト情報、音声情報）を手がかりにメンテナンスを行ったり、結線段階における結線状態と現在の結線状態を比較したりすることで状態確認を行うことができる。
【００３５】
このように、完成時点に最も近い施工段階から施工開始の段階に遡る順序に従って機器情報を参照することで、機器が扉内や仕上がり壁内に収容された機器を容易に見つけたり、特定の施工段階（作業を行った時点）における情報を得て、点検やメンテナンス業務を行うことができる。これにより、施工途中から機器の設置環境が変わったり、施工担当した作業者とは違う者が点検等を行う場合であっても、施工当時に遡って必要な情報を得ることができる。
【００３６】
また、上述した実施形態においては、画像データを手がかりに機器を特定する場合について説明したが、施工途中に用いられた名称を手がかりに機器を特定することもできる。例えば、機器の名称は、設備が完成するまでの間に変更される場合がある。そうすると工事を担当していた者は、設備完成後に工事中に用いられていた設備の名称を手がかりに対象の設備を探そうとすると、現在の名称とは違うため、探す対象の設備を見つけることが困難となる場合がある。例えば、自身が記憶している制御盤の名称と、機器に取り付けられたプレートに記載された名称が異なっている場合、自分が探していた機器であるか否かの判断が難しくなったり、また、データベース上には最新の名称しか登録されていない場合、施工途中の名称で検索しても検索されない場合もある。そうすると、工事途中では把握できたことが、設備の完成後に把握できなくなることがある。
【００３７】
しかし上述した実施形態によれば、位置情報を基に設備が設置された場所を特定し、その場所において、設備が完成した時点から工事開始時の順にソートされた画像データを手がかりに、仕上がり壁の画像データと同じ外観の壁面を特定し、その壁面に設けられたメンテナンス用開口部の扉を開くことができる。さらに、ソートされた画像データのうち完成から１つ前の画像データを画面に表示させることで、メンテナンス用開口部内に設けられた種々の扉のうち、ラック用扉を特定することができ、そのラック用扉を開くことで、対象の制御盤を特定することができる。また、施工途中における名称をテキストで携帯情報端末５０に入力して検索することで、機器情報として過去の名称の情報が記憶されているので、工事中に用いられていた名称が完成後に変わってしまったとしても、対象機器を簡単に特定することができる。このように、設備の完成後に対象の設備を特定しにくい場合であっても、工事の途中段階の情報を参照することで、工事の途中経過を把握していない作業員であっても、簡単に目的の設備を見つけることができる。
また、上述した実施形態によれば、工事途中で発見された注意点に関する情報を設備の情報に対応づけて記憶するようにしたので、管理する上で何を注意すべきかを、設備の完成後に工事担当者以外の者であっても簡単に把握することができる。
【００３８】
なお、上述した実施形態において、機器の設置開始から設備の完成に至るまでの経緯が把握できるのであれば、機器の設置開始時点と機器の完成時との両方の情報が必ずしも記憶されていなくてもよい。例えば、設置開始直後の設備の画像データや完成後の画像データがなくても、その途中段階の画像データから機器を特定できるのであれば、その途中の段階における画像データを記憶しておけばよい。これにより、データを保存する手間を省くことができる。
【００３９】
なお、上述した実施形態において、外観写真は静止画の画像データである場合について説明したが、動画データであってもよい。また、関連情報は、テキスト情報や音声情報である場合について説明したが、その施工段階において機器を操作した操作履歴を表す情報や、機器に対してメンテナンスや点検を行った内容を表す保守情報を用いることもできる。
【００４０】
また、図１における設備管理システム１の機能を実現するためのプログラムをコンピュータ読み取り可能な記録媒体に記録して、この記録媒体に記録されたプログラムをコンピュータシステムに読み込ませ、実行することにより機器情報の登録や参照を行ってもよい。なお、ここでいう「コンピュータシステム」とは、ＯＳや周辺機器等のハードウェアを含むものとする。
【００４１】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００４２】
以上、この発明の実施形態について図面を参照して詳述してきたが、具体的な構成はこの実施形態に限られるものではなく、この発明の要旨を逸脱しない範囲の設計等も含まれる。
【符号の説明】
【００４３】
１  設備管理システム
１０  設備管理装置
２０  通信接続装置
３０  リモートステーション
４０  ネットワーク
５０  携帯情報端末
６０  構内位置情報送出装置
１０１、５０１  通信部
１０２、５０４  制御部
１０３  検索部
１０４  機器情報記憶部
５０２  入力部
５０３  表示部
５０５  カメラ
５０６  マイク
【図１】
2014085752.tif 000003
【図２】
2014085752.tif 000004
【図３】
2014085752.tif 000005
【図４】
2014085752.tif 000006
【図５】
2014085752.tif 000007
【図６】
2014085752.tif 000008